(57)【要約】【課題】ドア周囲全体の電磁波シールド性を確保するとともに、ドア移動中に開閉用ハンドルを固定する。【解決手段】ドア２０は、２つの方向変換レバー５４，７４を備えており、移動中は、上側の方向変換レバー７４の回動がシーソー部材８８によりロックされ、ハンドル５５が固定される。ドア２０が閉鎖直前までくると、シーソー部材８８の戸先側が固定ピース９８により下方に押し込まれ、方向変換レバー７４のロックが解除されてハンドル５５が回動可能となる。更にハンドル５５を閉鎖方向に引くと、水平スライダ１１４によりデッドボルト１３２，１３４が上下に押し出され、ドア２０が前方へ押し込まれてシールドガスケット１６６，１７０がドア枠１２に密着する。また、水平スライダ１１６により上下のガスケットホルダ２１８，２５２が上下へ押し出され、シールドガスケット２２４，２５４がドア枠１２に密着する。【選択図】図４
2008057141.tif 000002
【特許請求の範囲】
【請求項１】
開口部に設けられたドア枠に取り付けられる電磁波シールドドアであって、
所定の厚みを有するフレームの両面にパネルが設けられており、全体が電磁波シールド可能なドア本体，
該ドア本体を開閉方向に移動させるためのスライド機構，
前記ドア本体の戸先及び戸尻に沿って設けられた垂直方向シールドガスケット材，
前記ドア枠側に設けられており、前記ドア本体を閉鎖したときに、前記戸尻側の垂直方向シールドガスケット材と密着可能なドア枠側垂直方向シールド体，
前記ドア本体と略同一幅を有し、該ドア本体の上端及び下端に平行に配置され、かつ、垂直方向にスライド可能であって、対向するドア枠との間を遮蔽可能な水平方向シールド体，
前記ドア本体を閉鎖方向に押し込み、前記戸先側の垂直方向シールドガスケット材を対向するドア枠に密着させるとともに、前記ドアの閉鎖状態を維持する戸先側押込機構，
前記パネル間に設けられており、水平方向の動きを垂直方向に変換し、前記水平方向シールド体及び戸先側押込機構に伝達して、これらを動作させる押出機構，
前記ドア本体が所定の閉鎖手前位置にあるときに、前記押出機構を動作可能とするトリガー機構，
を備えたことを特徴とする電磁波シールドドア。
【請求項２】
前記トリガー機構が、
前記ドア本体の上端戸先側に配置され、戸尻側の端部にローラを有し、戸先側の端部上側に傾斜を有するとともに、略中央部の回転軸を支点として揺動可能であって、垂直方向の外力が加わらないときには、前記ローラ側が下がり、前記傾斜側がドア本体から上方に突出するように不均衡に支持されるシーソー部材，
屈曲部を貫通する回転軸とともに回動可能な略Ｌ字状に形成されており、一方のアームの先端が前記シーソー部材のローラに接触可能な第１の方向変換部材，
前記ドア枠上部の戸先近傍に固定されており、下端面に前記シーソー部材の傾斜と同程度の勾配の斜面を有するとともに、前記シーソー部材の傾斜側と接触可能な押込部材，
屈曲部を貫通する回転軸とともに回動可能な略Ｌ字状に形成されており、一方のアームがリンク部材を介して前記第１の方向変換部材の他方のアームに連結され、他方のアームが他のリンク部材を介して前記押出機構に連結されることによって、前記第１の方向変換部材及び押出機構と連動する第２の方向変換部材，
を備えており、
前記第１の方向変換部材は、前記シーソー部材と押込部材が接触しないときには、該シーソー部材のローラとの接触により回動がロックされ、前記シーソー部材と押込部材の接触により前記ローラが持ち上がったときには、該ローラとの接触が解除されて回動可能になることを特徴とする請求項１記載の電磁波シールドドア。
【請求項３】
前記第２の方向変換部材の回転軸が、前記ドア本体のパネルを貫通して外側に突出するとともに、該ドア本体の開閉操作を行うハンドル部材と連動することを特徴とする請求項２記載の電磁波シールドドア。
【請求項４】
前記第２の方向変換部材の回転軸が前記パネルから外側に突出した部分を覆うカバー，
該カバーの内側に設けられており、該カバーの縁部と前記パネル間の隙間の電磁波シールドを行うシールドガスケット材，
を設けたことを特徴とする請求項３記載の電磁波シールドドア。
【請求項５】
前記水平方向シールド体が、
前記ドア本体と略同一幅を有し、該ドア本体の上端及び下端に平行に配置され、前記押出機構により垂直方向にスライド可能なガスケットホルダ，
該ガスケットホルダによって保持されており、対向するドア枠に密着可能な水平方向シールドガスケット材，
を備えたことを特徴とする請求項１〜４のいずれかに記載の電磁波シールドドア。
【請求項６】
前記戸先側押込機構が、
前記ドア本体内の戸尻近傍に略垂直方向に設けられており、該ドア本体の上端及び下端をそれぞれ貫通可能であって、前記押出機構により垂直方向にスライド可能な一対のデッドボルト，
前記ドア本体の上端及び下端に固定されており、前記デッドボルトの戸先側の面に接触するローラを備えたドア本体側応力負荷体，
前記ドア枠の上部及び下部に固定されており、前記ドア本体の閉鎖状態において、前記デッドボルトの戸尻側の面に接触するローラを備えたドア枠側応力負荷体，
を備えるとともに、
前記デッドボルトの先端が、前記ドア枠側応力負荷体のローラの周上を乗り越えることによって、前記ドア本体を閉鎖方向に押し込むとともに、該ドア本体の閉鎖状態を維持することを特徴とする請求項１〜５のいずれかに記載の電磁波シールドドア。
【請求項７】
前記押出機構は、前記水平方向シールド体が前記ドア枠の上下に接触して反発力を発生させる時期を、前記戸先側押込機構が前記戸先側の垂直方向シールドガスケット材を対向するドア枠に密着させる時期よりも遅らせるように、前記水平方向シールド体及び戸先側押込機構を動作させることを特徴とする請求項１〜６のいずれかに記載の電磁波シールドドア。
【請求項８】
前記押出機構が、
前記水平方向シールド体及び戸先側押込機構にリンク部材を介して連結し、前記パネル間で略水平方向にスライドするスライド体，
を含むとともに、
前記水平方向シールド体及び戸先側押込機構の可動部材を、前記スライド体を挟む状態でほぼ対称にすることにより、それらの自重によって前記スライド体を水平方向に動かす力を相殺することを特徴とする請求項１〜７のいずれかに記載の電磁波シールドドア。
【発明の詳細な説明】
【技術分野】
【０００１】
本発明は、開口部からの電磁波の侵入や漏洩を防止する電磁波シールドドア（扉）に関するものである。
【背景技術】
【０００２】
電磁波遮蔽室は、天井，床，壁面などに電磁波シールド材が用いられており、電磁波が漏洩ないし侵入しないように構成されている。このような電磁波遮蔽室には、人の通行や機材の搬入・搬出などを行うための出入口が設けられており、該出入口を開閉するためのドアないし扉も、電磁波シールド機能を有するものが取り付けられている。従来のシールドドアは、蝶番により開閉自在に取り付けられた開き戸式（スイング式）が主流であり、ドアの周囲に電磁波シールドガスケットを設けて電磁波の漏洩や侵入を防止している。このような開き戸式としては、以下の特許文献１及び２に示す技術がある。
【特許文献１】特開平１１−１４５６７４号公報
【特許文献２】特開平１１−２７４７９０号公報
【０００３】
ところで、上述した開き戸式のドアは、十分な電磁波シールド機能を達成することができるものの、ドア本体が重く、女性や高齢者などの場合は開閉が多少困難な場合がある。また、スペースの有効活用や開閉の自動化の点でも不都合が生じるため、出入口に沿ってスライドする引戸式のドアの需要が高まっている。該引戸式（スライド式）の場合も、ドアの周囲に電磁波シールドガスケットを設けて電磁波の漏洩や侵入を防止している。
【発明の開示】
【発明が解決しようとする課題】
【０００４】
上述した引戸式のドアは、開き戸式に比べ、ドア開閉時のデッドスペースをなくすことができるものの、開き戸のようにドアの周縁部全体でドア枠を圧接する構造にすることが困難なため、電磁波シールドの面では性能が劣るとされている。特に、自重式の場合は、ドアの周囲に隙間が空きやすく、ドアの全周に亘ってガスケット材を均一に加圧できず、加圧力が不足気味であるという不都合もある。
【０００５】
本発明は、以上の点に着目したもので、その目的は、閉鎖時にドア周囲全体の均一な電磁波シールド性を確保することができる引戸式の電磁波シールドドアを提供することである。他の目的は、手動式ドアの開閉中に、開閉操作用のハンドルを固定することである。
【課題を解決するための手段】
【０００６】
前記目的を達成するため、本発明は、開口部に設けられたドア枠に取り付けられる電磁波シールドドアであって、所定の厚みを有するフレームの両面にパネルが設けられており、全体が電磁波シールド可能なドア本体，該ドア本体を開閉方向に移動させるためのスライド機構，前記ドア本体の戸先及び戸尻に沿って設けられた垂直方向シールドガスケット材，前記ドア枠側に設けられており、前記ドア本体を閉鎖したときに、前記戸尻側の垂直方向シールドガスケット材と密着可能なドア枠側垂直方向シールド体，前記ドア本体と略同一幅を有し、該ドア本体の上端及び下端に平行に配置され、かつ、垂直方向にスライド可能であって、対向するドア枠との間を遮蔽可能な水平方向シールド体，前記ドア本体を閉鎖方向に押し込み、前記戸先側の垂直方向シールドガスケット材を対向するドア枠に密着させるとともに、前記ドアの閉鎖状態を維持する戸先側押込機構，前記パネル間に設けられており、水平方向の動きを垂直方向に変換し、前記水平方向シールド体及び戸先側押込機構に伝達して、これらを動作させる押出機構，前記ドア本体が所定の閉鎖手前位置にあるときに、前記押出機構を動作可能とするトリガー機構，を備えたことを特徴とする。
【０００７】
主要な形態の一つは、前記トリガー機構が、前記ドア本体の上端戸先側に配置され、戸尻側の端部にローラを有し、戸先側の端部上側に傾斜を有するとともに、略中央部の回転軸を支点として揺動可能であって、垂直方向の外力が加わらないときには、前記ローラ側が下がり、前記傾斜側がドア本体から上方に突出するように不均衡に支持されるシーソー部材，屈曲部を貫通する回転軸とともに回動可能な略Ｌ字状に形成されており、一方のアームの先端が前記シーソー部材のローラに接触可能な第１の方向変換部材，前記ドア枠上部の戸先近傍に固定されており、下端面に前記シーソー部材の傾斜と同程度の勾配の斜面を有するとともに、前記シーソー部材の傾斜側と接触可能な押込部材，屈曲部を貫通する回転軸とともに回動可能な略Ｌ字状に形成されており、一方のアームがリンク部材を介して前記第１の方向変換部材の他方のアームに連結され、他方のアームが他のリンク部材を介して前記押出機構に連結されることによって、前記第１の方向変換部材及び押出機構と連動する第２の方向変換部材，を備えており、前記第１の方向変換部材は、前記シーソー部材と押込部材が接触しないときには、該シーソー部材のローラとの接触により回動がロックされ、前記シーソー部材と押込部材の接触により前記ローラが持ち上がったときには、該ローラとの接触が解除されて回動可能になることを特徴とする。
【０００８】
他の形態は、前記第２の方向変換部材の回転軸が、前記ドア本体のパネルを貫通して外側に突出するとともに、該ドア本体の開閉操作を行うハンドル部材と連動することを特徴とする。更に他の形態は、前記第２の方向変換部材の回転軸が前記パネルから外側に突出した部分を覆うカバー，該カバーの内側に設けられており、該カバーの縁部と前記パネル間の隙間の電磁波シールドを行うシールドガスケット材，を設けたことを特徴とする。更に他の形態は、前記水平方向シールド体が、前記ドア本体と略同一幅を有し、該ドア本体の上端及び下端に平行に配置され、前記押出機構により垂直方向にスライド可能なガスケットホルダ，該ガスケットホルダによって保持されており、対向するドア枠に密着可能な水平方向シールドガスケット材，を備えたことを特徴とする。
【０００９】
更に他の形態は、前記戸先側押込機構が、前記ドア本体内の戸尻近傍に略垂直方向に設けられており、該ドア本体の上端及び下端をそれぞれ貫通可能であって、前記押出機構により垂直方向にスライド可能な一対のデッドボルト，前記ドア本体の上端及び下端に固定されており、前記デッドボルトの戸先側の面に接触するローラを備えたドア本体側応力負荷体，前記ドア枠の上部及び下部に固定されており、前記ドア本体の閉鎖状態において、前記デッドボルトの戸尻側の面に接触するローラを備えたドア枠側応力負荷体，を備えるとともに、前記デッドボルトの先端が、前記ドア枠側応力負荷体のローラの周上を乗り越えることによって、前記ドア本体を閉鎖方向に押し込むとともに、該ドア本体の閉鎖状態を維持することを特徴とする。
【００１０】
更に他の形態は、前記水平方向シールド体が前記ドア枠の上下に接触して反発力を発生させる時期を、前記戸先側押込機構が前記戸先側の垂直方向シールドガスケット材を対向するドア枠に密着させる時期よりも遅らせるように、前記水平方向シールド体及び戸先側押込機構を動作させることを特徴とする。更に他の形態は、前記押出機構が、前記水平方向シールド体及び戸先側押込機構にリンク部材を介して連結し、前記パネル間で略水平方向にスライドするスライド体，を含むとともに、前記水平方向シールド体及び戸先側押込機構の可動部材を、前記スライド体を挟む状態でほぼ対称にすることにより、それらの自重によって前記スライド体を水平方向に動かす力を相殺することを特徴とする。本発明の前記及び他の目的，特徴，利点は、以下の詳細な説明及び添付図面から明瞭になろう。
【発明の効果】
【００１１】
本発明は、ドアの上下及び戸先側に設けたシールドガスケット材を、ドアの閉鎖のタイミングに合わせて、前記ガスケット材の反発力に抗してドア枠側に圧縮・密着させるとともに、戸尻側にもドア枠側と密着可能なシールドガスケット材を設けることとしたので、ドア周囲全体の均一な電磁波シールド性を確保することができる。また、手動でドアを開閉する場合には、開閉操作用のハンドルを、ドアの移動中は固定することとしたので、安定したドアの開閉が可能になるという効果が得られる。
【発明を実施するための最良の形態】
【００１２】
以下、本発明を実施するための最良の形態を、実施例に基づいて詳細に説明する。
【実施例１】
【００１３】
最初に、図１〜図６を参照しながら本発明の実施例１を説明する。図１(A)は本実施例の全体構成を示す正面図，図１(B-1)及び(B-2)はシールドガスケットを示す図，図１(C)は前記(A)を＃Ａ−＃Ａ線に沿って切断し矢印方向に見た断面図である。図２は、本実施例のドア本体の内部構造を示す図である。図３(A)は、前記ドア本体の縁部の構造を示す斜視図，図３(B)はドア本体の下部の構造を示す断面図であって、前記図１(A)を＃Ｂ−＃Ｂ線に沿って切断した断面図に相当する。図４は、本実施例の作用を示す正面図であり、(A)はドアの移動時の様子を示す図，(B)はドア閉鎖時の様子を示す図である。図５は、本実施例のトリガー機構の作用を示す図，図６は、本実施例の開閉用のハンドル部の構造を示す図であり、(A)は断面図，(B)は前記(A)を矢印Ｆ６方向から見た平面図である。なお、特に説明しない限り、本実施例を構成する各部の材料は、電磁波シールド機能を有する金属材料が用いられているものとする。
【００１４】
図１に示すように、本実施例の電磁波シールドドア２０（以下「ドア」）は、例えば、電磁波遮蔽室の戸口（出入口）１０に開閉自在に設けられる引戸式のドアである。ドア２０は、戸口１０の内側からの電磁波の漏洩を防止するものであってもよいし、あるいは、戸口１０の外側から内側へ電磁波が侵入するのを防止するために用いるものであってもよい。前記戸口１０には、上部枠材１２Ａ，下部枠材１２Ｂ，戸先側枠材１２Ｃ，戸尻側枠材１２Ｄ，中間枠材１２Ｅからなるドア枠１２が設けられており、該ドア枠１２の周囲や天井及び床は、電磁波シールド機能を有するシールド材（図示せず）が敷設されている。また、前記戸尻側枠材１２Ｄと中間枠材１２Ｅの間には、シールド壁面１４が設けられている。前記ドア２０は、前記上部枠材１２Ａに設けられたレール１６に沿って図１の矢印Ｆ１で示す方向に移動可能となっている。また、移動時のドア２０の厚み方向の振れを防止する振止機構がドア２０の下方に設けられている。
【００１５】
本実施例のドア２０は、図３(A)に示すように、上端２２Ａ，下端２２Ｂ，戸先２２Ｃ，戸尻２２Ｄからなる所定の厚みを有する本体フレーム２２の表裏両面に、シールド効果を有するパネル２６及び２７を重ね合わせた構造となっている。そして、本体フレーム２２とパネル２６及び２７を挟むように、戸先側には、ガスケットホルダ１６４が設けられ、戸尻側には、ガスケットホルダ１６８が設けられる。更に、上部側には、後述する支柱２０６及び２１６を介してガスケットホルダ２１８が取り付けられ、下部側には、支柱２４０及び２５０を介してガスケットホルダ２５２が取り付けられる。
【００１６】
前記戸先側のガスケットホルダ１６４は、戸先側枠材１２Ｃと接触する面に、シールドガスケット１６６を備えている。該シールドガスケット１６６は、図１(B-1)及び(B-2)に示すように、例えば、ゴム管１６６Ａなどの弾性材料の周囲を、モネル編線などの導電性を有する金属メッシュ１６６Ｂで覆ったものであって、電磁波シールド機能を有している。なお、前記材料は一例であり、例えば、前記ゴム管１６６Ａとしてネオプレンスポンジゴムを使用し、その上に、前記金属メッシュ１６６Ｂとして、錫メッキ銅の編組線を被せたものを、シールドガスケット１６６として使用するようにしてもよい。戸尻側のガスケットホルダ１６８には、本体フレーム２２を挟んだときに生じる隙間を埋めるように、前記シールドガスケット１６６と同様の構成のシールドガスケット１７０が、略垂直方向に設けられている。一方、ドア枠１２の中間枠材１２Ｅには、図１(C)に示すように、断面略Ｌ字状の枠体１８が、略垂直方向に設けられている。該枠体１８は、ドア２０を完全に閉鎖したときに、短手側の端面１８Ａが、ドア２０の戸尻側のシールドガスケット１７０に食い込んで密着可能となる位置に設けられている。あるいは、必要に応じて、前記構成に加えて、前記図１(C)に点線で示すように、前記枠体１８に、他のシールドガスケット１７２を略垂直方向に設け、前記ドア２０を完全に閉鎖したときに、ドア２０側のガスケットホルダ１６８の端面１６８Ａがこれと密着するようにしてもよい。なお、上下のガスケットホルダ２１８及び２５２の構造については後述する。
【００１７】
まず、ドア２０のスライド機構について説明する。前記ドア２０の上端２２Ａには、図１(A)及び図２に示すように、２つの支持板３０Ａ及び３０Ｂが、適宜間隔をおいて固定されており、該支持板３０Ａ及び３０Ｂによって、回転可能な滑車３４Ａ及び３４Ｂの軸３２Ａ及び３２Ｂが支持されている。前記滑車３４Ａ及び３４Ｂが、上部枠材１２Ａに設けられたレール１６上を移動することにより、ドア２０の開閉が可能となっている。一方、ドア２０の下端２２Ｂには、図３(B)に示すように、断面略コ字状の溝部３６Ａを備えた振止ガイド３６が設けられている。該振止ガイド３６は、前記溝部３６Ａを、下部枠材１２Ｂのローラ台３８に設けられたローラ４０の外側に嵌めることによって、ドア２０の厚み方向への振れを抑制する。なお、前記ローラ台３８及びローラ４０は、前記ドア２０の引き残し代の内側に納まる位置に一組設けられており、前記ドア２０を開放したときでも、前記ドア２０の下部の後述するカバースカート２６０及び２６２の内側に隠れて外部から見えることがない。
【００１８】
次に、ドア２０を開閉するためのハンドル５５のロック機構（トリガー機構）について説明する。図２に示すように、本体フレーム２２の内側には、上端２２Ａ及び下端２２Ｂと略平行に、中間フレーム２４Ａ及び２４Ｂが適宜間隔で設けられている。なお、図２では、理解を容易にするため、一方のパネル２７は省略されている。前記中間フレーム２４Ａ，２４Ｂ間の戸先側には、ホルダ５０が設けられており、該ホルダ５０内には、軸５２を支点として回動する略Ｌ字状の方向変換レバー５４が設けられている。前記軸５２は、前記ホルダ５０によって回転可能に支持されるとともに、図６に示すように、前記パネル２６の開口部２６Ａを貫通し、ドア２０の外側において、開閉操作用のハンドル５５に接続されている。このため、前記ハンドル５５を回転させると、軸５２ととともに方向変換レバー５４が回動する。
【００１９】
軸５２の露出部分には、カバー５６が設けられている。該カバー５６は、前記軸５２の露出部分を覆う筒部５６Ａと、該筒部５６Ａよりも径が大きい段差部５６Ｂにより構成されており、該段差部５６Ｂの縁は、カバー５６がハンドル５５とともに回転できるように、パネル２６と非密着状態となっている。更に、前記段差部５６Ｂの中空部には、略リング状のシールドガスケット５８が設けられており、前記段差部５６Ｂの縁部とパネル２６間の隙間を遮断して、電磁波の漏洩や侵入を防止している。また、前記方向変換レバー５４の一方の端部５４Ａは、軸６０と、支持フレーム２４Ａに設けられた開口部６８を貫通するリンケージ６２を介して、ドア２０の上端側に設けられた上側の方向変換レバー７４に連結され、他方の端部５４Ｂは、軸６４とリンケージ６６を介して後述する水平スライダ１１６に連結されている。
【００２０】
前記上側の方向変換レバー７４は、略Ｌ字状となっており、その屈曲部を貫通する軸７２が、戸先２２Ｃの上端近傍に設けられたレバー台７０に、回動可能に支持されている。該方向変換レバー７４の一方のアーム７４Ａの端部は、軸７６及び前記リンケージ６２を介して、前記下側の方向変換レバー５４に連結されており、該方向変換レバー５４との連動が可能となっている。また、他方のアーム７４Ｂの端部は、本体フレーム上端２２Ａの戸先側に設けられた開口部８２を貫通し、先端が上端２２Ａから突出している。なお、前記開口部８２は、方向変換レバー７４の回動を妨げることがない長さに設定されている。また、前記リンケージ６２は、圧縮と引張りの力を受けるため、本実施例では、図２に示すように、角パイプと長さ調整のためのネジ部材により構成されている。
【００２１】
更に、前記上端２２Ａの戸先側には、前記方向変換レバー７４の回動をロックすることによって、間接的に下側の方向変換レバー５４とハンドル５５の回動をロックするシーソー部材８８が設けられている。該シーソー部材８８は、前記上端２２Ａの戸先側に設けられたトリガー台８４によって支持されており、略中央部の回転軸８６を支点として揺動可能となっている。また、シーソー部材８８の戸尻側の端部には、ローラ９０と背もたれ９４が設けられており、戸先側の端部上方には傾斜９６が形成されている。該シーソー部材８８は、前記回転軸８６に対して重量的にアンバランスとなっており、垂直方向の外力が加わらない場合には、常にローラ９０側が下がり、傾斜９６側がドア２０の最上端から、例えば、約１０ｍｍ程度突出するように設定されている。前記回転軸８６は、ドア２０全体の水平方向の動きに係る応力を受け、かつ、スムースにローラ９０側を下げるために、ドライベアリングを封入し、大きなラジアル荷動を負担しながら、回転のフリクションの低減を両立させるようになっている。
【００２２】
ドア２０の移動中（図５(A)参照）は、前記方向変換レバー７４のアーム７４Ｂ側の端部は、シーソー部材８８のローラ９０と背もたれ９４に挟まれ、接触面８０がローラ９０に接触しており、遊び分以外の回転の自由はなく、動きがロックされている。なお、前記シーソー部材８８の回転軸８６とローラ９０の軸９２を結ぶラインと、前記接触面８０のなす角度θを９０°以上とすることによって、方向変換レバー７４にトルクがかかってもロックが解除されないようになっている。一方、上部枠材１２Ａの戸先近傍には、前記シーソー部材８８の傾斜９６側の端部を押し下げるための固定ピース９８が固定されており、その下面には、前記傾斜９６と略同一勾配の斜面１００が形成されている。
【００２３】
図５(A)に示すように、ハンドル５５は、ドア２０を水平方向に引いている間は、シーソー部材８８による方向変換レバー７４（ひいては下側の方向変換レバー５４）のロックがかかっているため回転しない。そして、ドア２０が進行して所定の閉鎖手前位置（例えば、約１０ｍｍ手前）までくると、図５(B)に示すように、前記シーソー部材８８の傾斜９６と、前記固定ピース９８の斜面１００が接触し、更なるドア２０の進行に伴ってシーソー部材８８の傾斜９６側が押し下げられる。そして、ハンドル５５を引き続け、前記角度θが９０°より小さくなると、ローラ９０側を押し上げる力が発生し、ついには、図５(D)に示すように、方向変換レバー７４の上端が、ローラ９０の下を自由にくぐり抜けるようになる。この状態では、シーソー部材８８によるハンドル５５のロックが解除され、図５(C)及び(D)に示すように、ハンドル５５を矢印に示すように回すことが可能となる。
【００２４】
次に、前記ハンドル５５と連動する押出機構と、該押出機構を介して動作する戸先側押込機構及び水平方向シールド機構について説明する。前記中間フレーム２４Ａと２４Ｂの間には、中央ベース２８Ａと後部ベース２８Ｂが設けられている。なお、ここでいう後部とは、戸尻側のことである。前記中央ベース２８Ａ及び後部ベース２８Ｂの間には、一対のレール１１０，１１２が、ドア２０の移動方向に沿って略平行に設けられている。これらレール１１０，１１２の上には、該レール１１０，１１２上をスライド可能な水平スライダ１１４，１１６が設けられている。該水平スライダ１１４，１１６は、前記レール１１０，１１２と略平行なリンケージ１１８により連結されており、同時にスライドする構成となっている。また、中央側の水平スライダ１１６は、軸１７４及び前記リンケージ６６を介して、前記下側の方向変換レバー５４に連結されており、該方向変換レバー５４の回動に連動して、水平方向に移動可能となっている。
【００２５】
まず、一方の水平スライダ１１４の戸尻側上方には、軸１２０，リンケージ１２４，軸１２８を介してデッドボルト１３２の端部が接続されている。該デッドボルト１３２は、中間フレーム２４Ａに設けられた開口部１３６及び位置決め台１４０と、上端２２Ａに設けられた開口部１３８を貫通し、略垂直方向にスライド可能となっている。同様に、前記水平スライダ１１４の戸尻側下方には、軸１２２，リンケージ１２６，軸１３０を介してデッドボルト１３４の端部が接続されている。該デットボルト１３４は、中間フレーム２４Ｂの開口部１５０及び位置決め台１５４と、下端２２Ｂの開口部１５２を貫通し、略垂直方向にスライド可能となっている。更に、前記本体フレーム上端２２Ａには、前記デッドボルト１３２の戸先側の面に接触するローラ１４４を備えた応力負荷台１４２が設けられ、下端２２Ｂには、前記デッドボルト１３４の戸先側の面に接触するローラ１５８を備えた応力負荷台１５６が設けられている。
【００２６】
一方、ドア枠１２の上部枠材１２Ａには、ドア２０を閉鎖した状態のときに、前記デッドボルト１３２の戸尻側となる位置に、ローラ１４８を備えた応力負荷台１４６が設けられている。同様に、ドア枠１２の下部枠材１２Ｂには、ドア２０を閉鎖したときに、前記デッドボルト１３４の戸尻側となる位置に、ローラ１６２を備えた応力負荷台１６０が設けられている。該応力負荷台１６０は、上方の応力負荷台１４６と合わせるために、前記ローラ１６２の位置の微調整が可能となっている。このような応力負荷台１６０と、前記振止機構のローラ台３８及びローラ４０は、ともに前記ドア２０の引き残し代の内側に納まるように配置されている。
【００２７】
前記ハンドル５５から、軸５２，方向変換レバー５４，リンケージ６６を介して伝達した力は、水平方向のみの動きを許容する水平スライダ１１６，１１４を後方（戸尻側）へ押し込む。すると、水平スライダ１１４に連結されたリンケージ１２４，１２６を介し、鉛直方向（垂直方向）のみに動作するデッドボルト１３２，１３４が押し出される。ドア２０の閉鎖状態において、上方に押し出されたデッドボルト１３２は、図４(B)に示すように、上端２２Ａ側のローラ１４４と、上部枠材１２Ａ側のローラ１４８の間に押し込まれる。そして、前記ローラ１４８の周上を乗り越えるときに、倍力機構が形成され、ドア２０全体を戸先側枠材１２Ｃへ向けて押し込む。同時に、下側のデッドボルト１３４も、下端２２Ｂ側のローラ１５８と、下部枠材１２Ｂ側のローラ１６２の間に押し込まれ、前記ローラ１６２の周上を乗り越えることにより、ドア２０全体を戸先側枠材１２Ｃへ向けて押し込む。このように、上下のデッドボルト１３２，１３４によってドア２０全体を戸先側枠材１２Ｃへ向けて押し込むことにより、戸先のシールドガスケット１６６を、戸先側枠材１２Ｃへ圧着・密着させると同時に、ドア２０を閉鎖位置でロックすることが可能となる。更に、戸先側への押込と同時に、戸尻側のシールドガスケット１７０に、ドア枠１２側の枠体１８の端面１８Ａが食い込んで圧着され、戸尻側の電磁波シールドも可能となる。
【００２８】
一方、中央側の水平スライダ１１６の上方には、軸１７６，リンケージ１８０，軸１８４を介して、プッシュロッド１８８の端部が接続されている。該プッシュロッド１８８は、中間フレーム２４Ａに設けられた開口部１９２と位置決め台１９４を貫通し、略垂直方向にスライド可能となっている。同様に、前記水平スライダ１１６の下方には、軸１７８，リンケージ１８２，軸１８６を介して、プッシュロッド１９０の端部が接続されている。該プッシュロッド１９０は、中間フレーム２４Ｂの開口部２２６及び位置決め台２２８を貫通し、略垂直方向にスライド可能となっている。
【００２９】
上側のプッシュロッド１８８の先端は、水平バー１９６の略中央部に接続されており、該水平バー１９６の両端の開口部１９６Ａ及び１９６Ｂには、これらを貫通するスライドロッド１９８及び２０８が設けられている。前記スライドロッド１９８の両端は、台２００に固定された直動ガイド２０２Ａ，２０２Ｂにより支持されており、上下動以外の動きが制限されている。他方のスライドロッド２０８の両端も、台２１０に固定された直動ガイド２１２Ａ，２１２Ｂにより支持されており、上下動以外の動きが制限されている。更に、前記水平バー１９６には、前記スライドロッド１９８，２０８よりも内側に、支柱２０６及び２１６が設けられている。該支柱２０６，２１６は、それぞれ、上端２２Ａに設けられた開口部２０４，２１４を貫通し、ガスケットホルダ２１８に接続されている。ガスケットホルダ２１８は、図３(A)に示すように、本体フレーム２２と略同一幅を有しており、シールド面２１８Ａと断面略コ字状の収納部２１８Ｂにより構成されており、前記収納部２１８Ｂにシールドガスケット２２４の一部が保持されている。
【００３０】
同様に、下側のプッシュロッド１９０の先端は、水平バー２３０の略中央部に接続されており、該水平バー２３０の両端の開口部２３０Ａ及び２３０Ｂには、これらを貫通するスライドロッド２３２及び２４２が設けられている。前記スライドロッド２３２の両端は、台２３４に固定された直動ガイド２３６Ａ，２３６Ｂにより支持され、上下動以外の動きが制限される。他方のスライドロッド２４２の両端も、台２４４に固定された直動ガイド２４６Ａ，２４６Ｂにより支持され、上下以外の動きが制限される。更に、前記水平バー２３０には、前記スライドロッド２３２，２４２よりも内側に、支柱２４０，２５０が設けられている。該支柱２４０，２５０は、それぞれ、下端２２Ｂに設けられた開口部２３８，２４８を貫通し、ガスケットホルダ２５２に接続されている。該ガスケットホルダ２５２は、図３(A)に示すように、本体フレーム２２と略同一幅を有しており、シールド面２５２Ａと断面略コ字状の収納部２５２Ｂにより構成されており、前記収納部２５２Ｂにシールドガスケット２５４の一部が保持されている。なお、本体フレーム２２の下側については、図３(B)に示すように、前記ガスケットホルダ２５２や、振止ガイド３６，ローラ台３８，ローラ４０をカバーするためのカバースカート２６０及び２６２が設けられる。
【００３１】
更に、一方のカバースカート２６２の内側には、可撓性を有するシールド材２６４が設けられており、該シールド材２６４によって、ガスケットホルダ２５２とパネル２６が連結されている。具体的には、前記シールド材２６４として、例えば、３５μｍ程度の厚さの鋼箔と銅箔を重ねたものを使用し、上側を前記パネル２６とカバースカート２６２の間に挟んで、固定ネジ２６５で共締めし、下側を前記ガスケットホルダ２５２のシールド面２５２Ａと固定板２６６の間に挟んで固定ネジ２６７で共締めを行っている。なお、図示しないが、上方のガスケットホルダ２１８側においても、上述したカバースカート２６０，２６２や可撓性のシールド材２６４と同様の部材が設けてあり、ガスケットホルダ２１８とパネル２６間が連結されている。
【００３２】
前記ハンドル５５の操作により、水平スライダ１１６を後方（戸尻側）へ押し込むと、前記リンケージ１８０，１８２を介して、垂直方向のみに動作するプッシュロッド１８８，１９０が押し出される。ドア２０の閉鎖状態において、上方に押し出されたプッシュロッド１８８は、水平バー１９６及び支柱２０６，２１６を介して、ガスケットホルダ２１８を上方へ押し上げる。すると、シールドガスケット２２４が、上部枠材１２Ａに密着し、ドア２０上部を電気的に隙間なしに連続させることができる。同様に、下方に押し出されたプッシュロッド１９０は、水平バー２３０及び支柱２４０，２５０を介して、ガスケットホルダ２５２を下方へ押し下げる。すると、シールドガスケット２５４が、下部枠材１２Ｂに密着し、ドア２０下部が遮断される。本実施例では、図４(B)に示すように、ドア２０を完全に閉鎖した状態では、前記リンケージ１８０，１８２が垂直状態を超えて閉鎖前と逆方向に傾斜するように設定されている。すなわち、前記水平スライダ１１６が、オーバーランするように予め設定されている。例えば、水平スライダ１１６のストローク７０ｍｍに対して、６０ｍｍの地点で前記リンケージ１８０，１８２が略垂直になるようにハンドル５５の操舵力のピークを設定し、残り１０ｍｍ分をオーバーランさせるという具合である。
【００３３】
以上のような、ガスケットホルダ２１８，２５２の押し出しは、前記デッドボルト１３２，１３４の押し出しと同時に開始されるが、前記シールドガスケット２２４，２５４が上部枠材１２Ａ及び下部枠材１２Ｂに接触して反発力を発生させるタイミングが、前記戸先側のシールドガスケット１６６を戸先側枠材１２Ｃに密着させるタイミングよりも遅れるように、予め時間差が設けられている。このような時間差は、リンケージ１２４，１２６，１８０，１８２の長さや取り付け位置などを調節することにより設定可能である。なお、上下のシールドガスケット２２４，２５４の圧縮及び密着を終了した時点では、リンケージ１８０，１８２は垂直状態を超えて、閉鎖前と逆方向に傾斜している。このため、前記ハンドル５５に（ドア２０を開く意志のない）不意の外力が加わった場合であっても、前記シールドガスケット２２４，２５４の反発力が、ハンドル５５に伝達することはなく、安定した閉鎖状態を保つことができる。
【００３４】
次に、図４及び図５を参照しながら、本実施例の作用を説明する。初期状態では、ドア２０は、図４(A)及び図５(A)に示すように、戸口１０の任意の位置にあり、シーソー部材８８は、傾斜９６側がドア２０の最上端より突出し、ローラ９０が下がっている。また、上側の方向変換レバー７４の接触面８０は、前記シーソー部材８８のローラ９０に接触しており、動きがロックされている。すなわち、方向変換レバー７４とともに、下側の方向変換レバー５４及びハンドル５５の回動もロックされているため、前記ハンドル５５を握ってドア２０を左右に動かすことができる。また、水平スライダ１１４，１１６に接続されたリンケージ１２４，１２６，１８０，１８２が伸びていないため、デッドボルト１３２，１３４及び上下のガスケットホルダ２１８，２５２も動作せず、図４(A)に示す状態を保っている。
【００３５】
前記ハンドル５５を引いて、ドア２０が閉鎖される手前（約１０ｍｍ手前）までくると、図５(B)に示すように、前記シーソー部材８８の傾斜９６側と、ドア枠１２側の固定ピース９８の斜面１００が接触し、更なるドア２０の進行に伴って、図５(C)に示すように、シーソー部材８８の戸先側を押し下げる。該シーソー部材８８の戸先側が押し下げられると、反対側のローラ９０が持ち上がるため、該ローラ９０に接触していた方向変換レバー７４の上端が前記ローラ９０の下をくぐり抜けてロックが解除される。すると、図５(C)及び(D)に示すように、下側の方向変換レバー５４及びハンドル５５のロックも解除され、ハンドル５５が図に矢印で示す方向に回転可能となる。
【００３６】
前記ハンドル５５を図５(D)に矢印で示す方向に回し始めると、方向変換レバー５４に連結された水平スライダ１１６，１１４が、レール１１０，１１２に沿って戸尻側に移動し、ドア２０の周囲のシールド機構の動作へ移行する。まず、戸尻側の水平スライダ１１４に接続されたリンケージ１２４，１２６を介して、デッドボルト１３２，１３４が、ドア２０の上下に押し出される。そして、上方のデッドボルト１３２が上部枠材１２Ａのローラ１４８の周上を乗り越えると同時に、下方のデッドボルト１３４が下部枠材１２Ｂのローラ１６２の周上を乗り越えることによって、ドア２０全体が戸先側枠材１２Ｃに向けて押し込まれる。すると、ドア２０の戸先に設けられたシールドガスケット１６６が圧縮され、戸先側枠材１２Ｃに密着する。また、ドア２０が閉鎖位置で固定される。これと同時に、戸尻側のシールドガスケット１７０に、ドア枠１２側の枠体１８の端面１８Ａが食い込み密着する。
【００３７】
一方、前記デッドボルト１３２，１３４の押し出しと同時に、中央側の水平スライダ１１６にリンケージ１８０，１８２を介して接続されたプッシュロッド１８８，１９０の上下方向への押し出しが開始される。そして、上方のプッシュロッド１８８に接続された水平バー１９６及び支柱２０６，２１６を介して、上側のガスケットホルダ２１８が、上部枠材１２Ａに向けて押し出され、シールドガスケット２２４が上部枠材１２Ａに密着してドア２０の上方の電磁波シールドを行う。これと同時に、下方のプッシュロッド１９０に接続された水平バー２３０及び支柱２４０，２５０を介して、下方のガスケットホルダ２５２が、下部枠材１２Ｂに向けて押し出され、シールドガスケット２５４が下部枠材１２Ｂに密着してドア２０の下方の電磁波シールドを行う。なお、上述したように、前記シールドガスケット２２４，２５４が上部枠材１２Ａ及び下部枠材１２Ｂに接触して反発力を発生させるタイミングは、前記戸先側シールドガスケット１６６を戸先側枠材１２Ｃに密着させるタイミングよりも遅れるように設定されている。このため、前記デッドボルト１３２，１３４によりドア２０の前方への押込が完了した後に、前記ガスケットホルダ２１８，２５２の動作が完了する。
【００３８】
以上のように、デッドボルト１３２，１３４による戸先側への押込と、ガスケットホルダ２１８，２５２によるドア枠１２の上下のシールドが終了した時点では、水平スライダ１１４に接続されたリンケージ１２４，１２６は、完全に垂直方向に伸びている。更に、水平スライダ１１６に接続されたリンケージ１８０，１８２は、垂直状態を超えて閉鎖前と逆方向に傾斜している。このため、シールドガスケット１６６，２２４，２５４の反発力がハンドル５５に伝達されることがなく、良好な電磁波シールド状態を保つことができる。また、前記水平スライダ１１４及び１１６に連結される可動部材（デッドボルト１３２，１３４やガスケットホルダ２１８，２５２など）は、前記水平スライダ１１４及び１１６の上下でほぼ対称となっており、重量のバランスをとってあるため、それら可動部材の自重によって水平スライダ１１４，１１６を動かそうとする力は、上下の可動部材によって相殺し合うため、ハンドル５５を勝手に動かす力が発生することがない。
【００３９】
更に、ドア２０の戸尻側は、図１(C)に示すように、ドア枠１２側の枠体１８の端面１８Ａと、ドア２０の戸尻側のシールドガスケット１７０が密着することによって、電磁波シールドが可能となっている。また、ハンドル５５の周囲も、上述したカバー５６内に設けたシールドガスケット５８により電磁波シールドされる。このように、ドア２０の上下及び戸先側に設けたガスケット材を、ドア２０の閉鎖のタイミングに合わせてドア枠１２側に圧縮・密着させるとともに、戸尻側及びハンドル５５の周囲にもシールドガスケット材を設けることとしたので、ドア２０の閉鎖により、良好に戸口１０の電磁波シールドを行うことができる。
【００４０】
ドア２０を開けるときは、基本的には、上述した閉鎖の場合と逆の動作となる。すなわち、ハンドル５５を、ドア２０を開く方向に回転させると、上下のガスケットホルダ２１８，２５２が、上部枠材１２Ａ，下部枠材１２Ｂから離れるとともに、戸先側を圧縮するためのデッドボルト１３２，１３４がドア２０の内部に引きこまれて、ドア２０が移動可能な状態となる。そして、更にハンドル５５を回転させると、下側の方向変換レバー５４に連結されたリンケージ６２が下方に引き込まれ、該リンケージ６２に連結された上側の方向変換レバー７４のアーム７４Ｂが反り、ローラ９０の下をくぐり抜ける。すると、前記アーム７４Ｂの先端が、図４(A)及び図５(A)に示すように、シーソー部材８８のローラ９０及び背もたれ９４に接触して定位置に固定されるため、方向変換レバー７４及びハンドル５５の回動がロックされる。そして、固定されたハンドル５５を引いて、ドア２０を開ける。なお、ドア２０を開くときには、シールドガスケット１６６，２２４，２５４の反発力が加わるため、圧縮・密着解除のためにハンドル５５を操作する力（回す力）は、閉鎖時よりも低減される。
【００４１】
このように、実施例１によれば、次のような効果がある。
(1)ドア２０の上下及び戸先側に設けたシールドガスケット１６６，２２４，２５４を、ドア２０の閉鎖のタイミングに合わせて、ガスケット材の反発力に抗してドア枠１２側に圧縮・密着させるとともに、戸尻側及びハンドル５５の周囲にも、シールドガスケット１７０（及び必要に応じて１７２），５８を設けることしたので、ドア２０周囲全ての均一な電磁波シールド性を確保することができる。
(2)２つの方向変換レバー５４及び７４，シーソー部材８８，固定ピース９８からなるトリガー機構によって、ハンドル５５のロックを行うこととしたので、ドア２０の移動時にハンドル５５を固定することができ、安定したドア２０の開閉が可能となる。
(3)戸尻側に設けたデッドボルト１３２及び１３４により、前記戸先側のシールドガスケット１６６の密着とともに、ドア２０の閉鎖位置での位置固定を行うこととしたので、閉鎖状態を保つことができる。
(4)前記デッドボルト１３２，１３４による戸先側シールドガスケット１６６の密着のタイミングと、上下のシールドガスケット２２４，２５４をドア枠１２に密着させて反発力を発生させるタイミングをずらすこととしたので、ドア２０の閉鎖前に上下の電磁波シールドを行うことがない。
(5)引戸式のため、ドア２０の開閉の労力が少なくて済み、かつ、省スペース化が可能である。
【００４２】
なお、本発明は、上述した実施例に限定されるものではなく、本発明の要旨を逸脱しない範囲内において種々変更を加え得ることができる。例えば、以下のものも含まれる。
(1)前記実施例１で示した形状，寸法は一例であり、必要に応じて適宜変更してよい。材料についても同様に、電磁波シールド機能を有するものであれば、公知の各種の材料を利用してよい。
(2)前記実施例１は、手動式の開閉ドアについて説明したものであるが、本発明は、自動ドアにも適用可能である。例えば、駆動源としてギアモータとベルトを使用し、その水平方向の駆動力を、伝達部材等を介して、前記上側の方向変換レバー７４の上方のアーム７４Ｂへ伝えることにより、上述した実施例１と同様の効果が得られる。
(3)前記実施例１のドア２０のスライド機構や振止機構，水平スライダ１１４及び１１６を利用した押出機構は一例であり、同様の効果を奏するものであれば、公知の各種の機構を適用してよい。
(4)本発明は、病院のＭＲＩ室や電波暗室，研究施設のシールドルームなど、内外からの電磁波の遮蔽が必要とされる場所全般に適用可能である。
【産業上の利用可能性】
【００４３】
本発明によれば、ドアの上下及び戸先側に設けたシールドガスケット材を、ドアの閉鎖のタイミングに合わせて、前記ガスケット材の反発力に抗してドア枠側に圧縮・密着させるとともに、戸尻側及び開閉用のハンドル周囲にもシールドガスケット材を設けて、ドア周囲全ての電磁波シールド性を確保することとしたので、引戸式の電磁波シールドドアの用途に適用できる。
【図面の簡単な説明】
【００４４】
【図１】本発明の実施例１を示す図であり、(A)は全体構成を示す正面図，(B-1)及び(B-2)はシールドガスケットを示す図，(C)は前記(A)を＃Ａ−＃Ａ線に沿って切断し矢印方向に見た断面図である。
【図２】前記実施例１のドア本体の内部構造を示す図である。
【図３】前記実施例１のドア本体を示す図であり、(A)は縁部の構造を示す斜視図，(B)は下部の構造を示す断面図である。
【図４】前記実施例１の作用を示す図であり、(A)はドア移動時の様子，(B)はドア閉鎖時の様子を示す正面図である。
【図５】前記実施例１のトリガー機構の作用を示す図である。
【図６】前記実施例１のハンドル部の構造を示す図であり、(A)は断面図，(B)は前記(A)を矢印Ｆ６方向から見た平面図である。
【符号の説明】
【００４５】
１０：戸口（出入口）
１２：ドア枠
１２Ａ：上部枠材
１２Ｂ：下部枠材
１２Ｃ：戸先側枠材
１２Ｄ：戸尻側枠材
１２Ｅ：中間枠材
１４：シールド壁面
１６：レール
１８：枠体
１８Ａ：端面
２０：電磁波シールドドア
２２：本体フレーム
２２Ａ：上端
２２Ｂ：下端
２２Ｃ：戸先
２２Ｄ：戸尻
２４Ａ，２４Ｂ：中間フレーム
２６，２７：パネル
２６Ａ：開口部
２８Ａ：中央ベース
２８Ｂ：後部ベース
３０Ａ，３０Ｂ：支持板
３２Ａ，３２Ｂ：軸
３４Ａ，３４Ｂ：滑車
３６：振止ガイド
３６Ａ：溝部
３８：ローラ台
４０：ローラ
５０：ホルダ
５２：軸
５２Ａ：端部
５４：方向変換レバー
５４Ａ，５４Ｂ：アーム
５５：ハンドル
５６：カバー
５６Ａ：筒部
５６Ｂ：段差部
５８：シールドガスケット
６０，６４：軸
６２，６６：リンケージ
６８：開口部
７０：レバー台
７２：軸
７４：方向変換レバー
７４Ａ，７４Ｂ：アーム
７６：軸
７８：傾斜
８０：接触面
８２：開口部
８４：トリガー台
８６：回転軸
８８：シーソー部材
９０：ローラ
９２：軸
９４：背もたれ
９６：傾斜
９８：固定ピース
１００：斜面
１１０，１１２：レール
１１４，１１６：水平スライダ
１１８：リンケージ
１２０，１２２，１２８，１３０：軸
１２４，１２６：リンケージ
１３２，１３４：デッドボルト
１３２Ａ，１３４Ａ：：曲部
１３６，１３８，１５０，１５２：開口部
１４０，１５４：位置決め台
１４２，１４６，１５６，１６０：応力負荷台
１４４，１４８，１５８，１６２：ローラ
１６４，１６８：ガスケットホルダ
１６６，１７０，１７２：シールドガスケット
１６６Ａ：ゴム管
１６６Ｂ：金属メッシュ
１６８Ａ：端面
１７４，１７６，１７８，１８４，１８６：軸
１８０，１８２：リンケージ
１８８，１９０：プッシュロッド
１８８Ａ，１８８Ｂ，１９０Ａ，１９０Ｂ：端部
１９２，２２６：開口部
１９４，２２８：位置決め台
１９６，２３０：水平バー
１９６Ａ，１９６Ｂ，２３０Ａ，２３０Ｂ：開口部
１９８，２０８，２３２，２４２：スライドロッド
２００，２１０，２３４，２４４：台
２０２Ａ，２０２Ｂ，２１２Ａ，２１２Ｂ，２３６Ａ，２３６Ｂ，２４６Ａ，２４６Ｂ：直動ガイド
２０４，２１４，２３８，２４８：開口部
２０６，２１６，２４０，２５０：支柱
２１８，２５２：ガスケットホルダ
２１８Ａ，２５２Ａ：シールド面
２１８Ｂ，２５２Ｂ：収納部
２２０：シールド板
２２２：角材
２２４，２５４：シールドガスケット
２６０，２６２：カバースカート
２６４：シールド材
２６６：固定板
２６５，２６７：固定ネジ
【図１】
2008057141.tif 000003
【図２】
2008057141.tif 000004
【図３】
2008057141.tif 000005
【図４】
2008057141.tif 000006
【図５】
2008057141.tif 000007
【図６】
2008057141.tif 000008